(57)【要約】【課題】一つの体温測定部が故障しても、被測定者の体温を測定することが可能な電子体温計を得る。【解決手段】被測定者の体温を測定する電子体温計１００は、単独で使用される体温測定部１１および体温測定部１２を備え、電子体温計１００を用いた一回の体温測定においては、体温測定部１１および体温測定部１２のいずれか一方によって被測定者の体温が測定される。【選択図】図１
2012185024.tif 000002
【特許請求の範囲】
【請求項１】
被測定者の体温を測定する電子体温計であって、
単独で使用される複数の体温測定部を備え、
前記電子体温計を用いた一回の体温測定においては、複数のうちいずれか一つの前記体温測定部によって前記被測定者の前記体温が測定される、
電子体温計。
【請求項２】
複数の前記体温測定部は、第１体温測定部および第２体温測定部を含む、
請求項１に記載の電子体温計。
【請求項３】
前記被測定者の前記体温を測定するために必要な時間は、前記第１体温測定部と前記第２体温測定部とで異なるように予め設定されている、
請求項２に記載の電子体温計。
【請求項４】
前記第１体温測定部の形状および前記第２体温測定部の形状は、互いに異なるように構成される、
請求項２または３に記載の電子体温計。
【発明の詳細な説明】
【技術分野】
【０００１】
本発明は電子体温計に関する。
【背景技術】
【０００２】
実用新案登録第３１５５１３２号公報（特許文献１）は、一般的な電子体温計を開示する。この一般的な電子体温計は、脇下または舌下等に挟み込まれた状態で、被測定者の体温を測定する。
【０００３】
特開２００５−２２４６１７号公報（特許文献２）は、他の一般的な電子体温計を開示する。この電子体温計は、いわゆる耳式体温計であり、被測定者の鼓膜から放射される赤外線に基づいて被測定者の体温を測定する。
【先行技術文献】
【特許文献】
【０００４】
【特許文献１】実用新案登録第３１５５１３２号公報
【特許文献２】特開２００５−２２４６１７号公報
【発明の概要】
【発明が解決しようとする課題】
【０００５】
上記の各特許文献１，２に開示される電子体温計は、一つの体温測定部を備える。故障などが原因で一つの体温測定部が機能しなくなった場合には、これらの電子体温計は修理に出されたり、場合によっては廃棄されたりする。故障などが原因で一つの体温測定部が機能しなくなった場合、被測定者が体温を測定したくても、これらの電子体温計はその要望にタイミング良く応えることができないという問題があった。
【０００６】
本発明は、故障などが原因で一つの体温測定部が機能しなくなった場合であっても、被測定者の体温を測定することが可能な電子体温計を提供することを目的とする。
【課題を解決するための手段】
【０００７】
本発明に基づく電子体温計は、被測定者の体温を測定する電子体温計であって、単独で使用される複数の体温測定部を備え、上記電子体温計を用いた一回の体温測定においては、複数のうちいずれか一つの上記体温測定部によって上記被測定者の上記体温が測定される。
【０００８】
好ましくは、複数の上記体温測定部は、第１体温測定部および第２体温測定部を含む。好ましくは、上記被測定者の上記体温を測定するために必要な時間は、上記第１体温測定部と上記第２体温測定部とで異なるように予め設定されている。好ましくは、上記第１体温測定部の形状および上記第２体温測定部の形状は、互いに異なるように構成される。
【発明の効果】
【０００９】
本発明によれば、故障などが原因で一つの体温測定部が機能しなくなった場合であっても、被測定者の体温を測定することが可能な電子体温計を得ることができる。
【図面の簡単な説明】
【００１０】
【図１】実施の形態１における電子体温計（組み立てられた後の状態）を示す斜視図である。
【図２】実施の形態１における電子体温計の分解した状態（組み立てられる前の状態）を示す斜視図である。
【図３】実施の形態１における電子体温計の機能ブロックを示す図である。
【図４】実施の形態２における電子体温計（組み立てられた後の状態）を示す斜視図である。
【図５】実施の形態３における電子体温計（組み立てられた後の状態）を示す斜視図である。
【図６】実施の形態４における電子体温計（組み立てられた後の状態）を示す斜視図である。
【図７】実施の形態４における電子体温計の分解した状態（組み立てられる前の状態）を示す斜視図である。
【発明を実施するための形態】
【００１１】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成を適宜組み合わせて用いることは、当初から予定されていることである。
【００１２】
［実施の形態１］
図１〜図３を参照して、本実施の形態における電子体温計１００について説明する。図１は、電子体温計１００（組み立てられた後の状態）を示す斜視図である。図２は、電子体温計１００の分解した状態（組み立てられる前の状態）を示す斜視図である。図３は、電子体温計１００の機能ブロックを示す図である。
【００１３】
図１を参照して、電子体温計１００は、ケース１０、第１体温測定部１１、第２体温測定部１２、表示部１７、操作部１８、およびサブアセンブリ３５（図２参照）を備える。
【００１４】
ケース１０は、非柔軟性を有する硬質の部材から、中空筒状に構成される。ケース１０は、たとえば熱可塑性の樹脂材料を原料とした射出成形によって作製される。ケース１０に使用される樹脂材料は、たとえばＡＢＳ（アクリロニトリル−ブタジエン−スチレン共重合体）樹脂等である。ケース１０の表面の所定位置には、表示部１７および操作部１８が設けられる。
【００１５】
ケース１０の先端に、第１体温測定部１１が設けられる。第１体温測定部１１は、たとえば腋下または舌下等に挟み込まれる。第１体温測定部１１は、次述する第２体温測定部１２とは独立した状態で単独で使用されることによって、被測定者の体温を検出する。
【００１６】
図２を参照して、第１体温測定部１１は、キャップ２１、感温部３１、およびリード線３３を含む。キャップ２１は、ケース１０の先端を閉塞するように設けられる。キャップ２１は、たとえばステンレス合金等の金属材料から有底筒状に構成される。
【００１７】
感温部３１およびリード線３３によって、いわゆるラジアルリード型のサーミスタが構成される。感温部３１は、サブアセンブリ３５内に設けられた制御基板（図示せず）に、リード線３３を通して接続される。電子体温計１００が組み立てられた状態においては、感温部３１は、キャップ２１内に配置される。
【００１８】
ケース１０の後端に、第２体温測定部１２が設けられる。第２体温測定部１２は、たとえば額またはこめかみ等に押し当てられる。第２体温測定部１２は、第１体温測定部１１とは独立した状態で単独で使用されることによって、被測定者の体温を検出する。
【００１９】
第２体温測定部１２は、キャップ２２、カバー部材２３、感温部３２、およびリード線３４を含む。キャップ２２は、ケース１０の後端（開口部１０Ｈ）を閉塞するように設けられる。キャップ２２は、たとえば軟性および弾性のあるシリコンゴム等の材料から構成される。
【００２０】
カバー部材２３は、ステンレス合金等の金属材料から構成される。カバー部材２３は、キャップ２２の表面に露出する。感温部３２およびリード線３４によって、いわゆるラジアルリード型の他のサーミスタが構成される。感温部３２は、サブアセンブリ３５内に設けられた制御基板（図示せず）に、リード線３４を通して接続される。電子体温計１００が組み立てられた状態においては、感温部３２は、キャップ２２内に配置されるとともに、カバー部材２３に所定の圧接力で接触する。
【００２１】
サブアセンブリ３５（感温部３１および感温部３２などを含む）は、図２中の矢印に示すように、開口部１０Ｈを通してケース１０内に配置される。サブアセンブリ３５に組み付けられる各種部品は、表示部１７を構成する表示パネル、操作部１８を構成する操作スイッチ、報知部１６を構成するブザー、所定の処理回路（図３における制御部１４）が形成されるとともにリード線３３およびリード線３４が接続された制御基板、および、電源部（図３における電源部１９）としてのボタン電池等を含む。
【００２２】
図３を参照して、電子体温計１００は、その機能ブロックとして、制御部１４、メモリ部１５、報知部１６、表示部１７、電源部１９、感温部３１、および感温部３２を備える。
【００２３】
制御部１４は、たとえばＣＰＵ（Central  Processing  Unit）から構成される。制御部１４は、電子体温計１００の全体を制御する。メモリ部１５は、たとえばＲＯＭ（Read-Only  Memory）およびＲＡＭ（Random-Access  Memory）等から構成される。メモリ部１５は、体温測定のための処理手順を制御部１４等に実行させるためのプログラムを記憶したり、測定結果等を記憶したりする。
【００２４】
報知部１６は、たとえばブザーによって構成される。報知部１６は、測定が終了したことおよび被測定者（または電子体温計１００の使用者）の操作を受け付けたこと等を被測定者に知らせる。表示部１７は、たとえばＬＣＤ（Liquid  Crystal  Display）等の表示パネルから構成される。表示部１７は、測定結果等を表示する。
【００２５】
操作部１８は、たとえば押し釦から構成される。操作部１８は、被測定者による操作を受け付けてこの外部からの命令を制御部１４および電源部１９に入力する。電源部１９は、たとえばボタン電池によって構成される。電源部１９は、制御部１４に電源としての電力を供給する。
【００２６】
感温部３１は、リード線３３（図２参照）によって制御部１４に接続される。上述のとおり（図２参照）、感温部３１は、キャップ２１およびリード線３３とともに、第１体温測定部１１を構成する。キャップ２１が被測定者の腋下などに挟み込まれた場合、被測定者の体温は、キャップ２１を通して感温部３１に熱エネルギーとして伝達する。
【００２７】
感温部３２は、リード線３４（図２参照）によって制御部１４に接続される。上述のとおり（図２参照）、感温部３２は、キャップ２２、カバー部材２３、およびリード線３４とともに、第２体温測定部１２を構成する。キャップ２２が被測定者のこめかみなどに押し当てられた場合、被測定者の体温は、キャップ２２に設けられたカバー部材２３を通して感温部３２に熱エネルギーとして伝達する。
【００２８】
上述のとおり、電子体温計１００における第１体温測定部１１および第２体温測定部１２は、相互に独立した状態で単独で使用される。電子体温計１００を用いた一回の体温測定においては、第１体温測定部１１および第２体温測定部１２のいずれか一方によって、被測定者の体温が測定される。
【００２９】
第１体温測定部１１が使用される際は、第２体温測定部１２は使用されず、かつ第２体温測定部１２は機能しない。第２体温測定部１２が使用される際は、第１体温測定部１１は使用されず、且つ第１体温測定部１１は機能しない。
【００３０】
制御部１４は、体温測定を実行するための処理回路を含んでおり、メモリ部１５から読み出されたプログラムに基づいて体温測定を行なう。その際、制御部１４は、感温部３１および感温部３２のいずれか一方から入力された温度データを処理することで、測定結果としての体温を算出する。制御部１４は、算出した体温を表示部１７にて表示するように制御したり、算出した体温をメモリ部１５に記憶させるように制御したり、測定が終了したことを報知部１６を用いて被測定者に知らせるように制御したりする。
【００３１】
感温部３１を含むキャップ２１（図２参照）がたとえば腋下などに挟み込まれた場合は、制御部１４は感温部３１における温度上昇に基づいて、被測定者の体温を測定する。感温部３２を含むキャップ２２（図２参照）がこめかみなどに押し当てられた場合は、制御部１４は感温部３２における温度上昇に基づいて、被測定者の体温を測定する。
【００３２】
制御部１４は、感温部３１および感温部３２のいずれか一方における温度上昇に基づいて、いわゆる実測方式（感温部と被測定部との熱的な平衡状態が得られることを待って体温を測定する方式）によって被測定者の体温を算出してもよいし、いわゆる予測方式（感温部と被測定部との熱的な平衡状態が得られる前に、所定の演算によって体温を測定する方式）によって被測定者の体温を算出してもよい。
【００３３】
（作用・効果）
上述のとおり、電子体温計１００は、第１体温測定部１１および第２体温測定部１２を備える。たとえば、故障などが原因で第１体温測定部１１が機能しなくなった場合であっても、第２体温測定部１２を使用することによって被測定者の体温を測定することができる。故障などが原因で第２体温測定部１２が機能しなくなった場合であっても、第１体温測定部１１を使用することによって被測定者の体温を測定することができる。
【００３４】
第１体温測定部１１は、数分間の時間を掛けて被測定者の体温を測定するように構成し（詳細方式の体温測定）、第２体温測定部１２は、数秒の時間を掛けて被測定者の体温を測定するように構成してもよい（予備方式の体温測定）。当該構成によれば、電子体温計１００は、さまざまな場面おいて必要とされる測定方式に応じて、最適に使い分けられることが可能となる。
【００３５】
本実施の形態における電子体温計１００は、第１体温測定部１１および第２体温測定部１２が、異なる形状および異なる測定方式を有する。第１体温測定部１１および第２体温測定部１２は、同一の形状に構成されるとともに、同一の測定方式を採用していてもよい。当該構成によっても、故障などが原因で第１体温測定部１１が機能しなくなった場合であっても、第２体温測定部１２を使用することによって被測定者の体温を測定することができ、その逆も同様である。
【００３６】
［実施の形態２］
図４を参照して、本実施の形態における電子体温計１００Ａについて説明する。ここでは、上述の実施の形態１における電子体温計１００（図１参照）との相違点について説明する。
【００３７】
電子体温計１００Ａは、上述の実施の形態１の電子体温計１００における第２体温測定部１２の代わりに、第２体温測定部１２Ａを備える。第２体温測定部１２Ａは、キャップ２２Ａ、集光レンズ２４、およびケース１０に内蔵された赤外線センサ（図示せず）を含む。
【００３８】
第２体温測定部１２Ａにおいては、被測定者の額または被測定者の口腔などから放射される赤外線が、集光レンズ２４を通して赤外線センサによって検出される。赤外線センサが検出した値は、制御部１４（図３参照）によって演算され、被測定者の体温として算出される。
【００３９】
（作用・効果）
電子体温計１００Ａは、上述の実施の形態１における電子体温計１００と同様に、たとえば、故障などが原因で第１体温測定部１１が機能しなくなった場合であっても、第２体温測定部１２Ａを使用することによって被測定者の体温を測定することができる。故障などが原因で第２体温測定部１２Ａが機能しなくなった場合であっても、第１体温測定部１１を使用することによって被測定者の体温を測定することができる。
【００４０】
［実施の形態３］
図５を参照して、本実施の形態における電子体温計１００Ｂについて説明する。ここでは、上述の実施の形態１における電子体温計１００（図１参照）との相違点について説明する。
【００４１】
電子体温計１００Ｂは、上述の実施の形態１の電子体温計１００における第２体温測定部１２の代わりに、第２体温測定部１２Ｂを備える。第２体温測定部１２Ｂは、キャップ２２Ｂ（プローブ）、ケース１０に内蔵された集光レンズ（図示せず）、およびケース１０に内蔵された赤外線センサ（図示せず）を含む。
【００４２】
第２体温測定部１２Ｂにおいては、プローブとしてのキャップ２２Ｂが、被測定者の耳外道に挿入される。被測定者の鼓膜から放射される赤外線が、集光レンズを通して赤外線センサによって検出される。赤外線センサが検出した値は、制御部１４（図３参照）によって演算され、被測定者の体温として算出される。
【００４３】
（作用・効果）
電子体温計１００Ｂは、上述の実施の形態１における電子体温計１００と同様に、たとえば、故障などが原因で第１体温測定部１１が機能しなくなった場合であっても、第２体温測定部１２Ｂを使用することによって被測定者の体温を測定することができる。故障などが原因で第２体温測定部１２Ｂが機能しなくなった場合であっても、第１体温測定部１１を使用することによって被測定者の体温を測定することができる。
【００４４】
［実施の形態４］
図６および図７を参照して、本実施の形態における電子体温計１００Ｃについて説明する。ここでは、上述の実施の形態３における電子体温計１００Ｂ（図５参照）との相違点について説明する。図６は、電子体温計１００Ｃ（組み立てられた後の状態）を示す斜視図である。図７は、電子体温計１００Ｃの分解した状態（組み立てられる前の状態）を示す斜視図である。
【００４５】
図６に示すように、電子体温計１００Ｃは、上述の実施の形態３の電子体温計１００Ｂの構成に加えて、第３体温測定部１３をさらに備える。図７に示すように、第３体温測定部１３は、ケース１０に凸設された張出部２６、カバー部材２７、感温部２８、およびリード線２９を含む。カバー部材２７は、ステンレス合金等の金属材料から構成される。カバー部材２７は、張出部２６の表面に露出する。張出部２６は、ケース１０の一部としてケース１０と一体的に成型されていてもよく、ケース１０とは別部材としてケース１０に接合されていてもよい。
【００４６】
感温部２８およびリード線２９によって、いわゆるラジアルリード型のサーミスタが構成される。感温部２８は、サブアセンブリ３５内に設けられた制御基板（図示せず）に、リード線２９を通して接続される。電子体温計１００Ｃが組み立てられた状態においては、感温部２８は、張出部２６内に配置されるとともに、カバー部材２７に所定の圧接力で接触する。サブアセンブリ３５（感温部３１、感温部２８、および赤外線センサ３８などを含む）は、図７中の矢印に示すように、開口部１０Ｈを通してケース１０内に配置される。
【００４７】
電子体温計１００Ｃにおける第１体温測定部１１、第２体温測定部１２Ｂ、および第３体温測定部１３は、相互に独立した状態で単独で使用される。電子体温計１００Ｃを用いた一回の体温測定においては、第１体温測定部１１、第２体温測定部１２Ｂ、および第３体温測定部１３のいずれか一つによって、被測定者の体温が測定される。
【００４８】
第１体温測定部１１が測定される際には、第２体温測定部１２Ｂおよび第３体温測定部１３は使用されず、かつ第２体温測定部１２Ｂおよび第３体温測定部１３は機能しない。第２体温測定部１２Ｂが使用される際には、第１体温測定部１１および第３体温測定部１３は使用されず、かつ第１体温測定部１１および第３体温測定部１３は機能しない。第３体温測定部１３が使用される際には、第１体温測定部１１および第２体温測定部１２Ｂは使用されず、かつ第１体温測定部１１および第２体温測定部１２Ｂは機能しない。
【００４９】
感温部３１を含むキャップ２１がたとえば腋下などに挟み込まれた場合は、感温部３１における温度上昇に基づいて、被測定者の体温が測定される。感温部２８を含む張出部２６がこめかみなどに押し当てられた場合は、感温部２８における温度上昇に基づいて、被測定者の体温が測定される。プローブとしてのキャップ２２Ｂがたとえば耳外道に挿入された場合には、赤外線センサ３８が検出した鼓膜からの赤外線に基づいて、被測定者の体温が測定される。
【００５０】
（作用・効果）
電子体温計１００Ｃは、たとえば、故障などが原因で第１体温測定部１１、第２体温測定部１２Ｂ、および第３体温測定部１３のいずれか一つ若しくは二つが機能しなくなった場合であっても、第１体温測定部１１、第２体温測定部１２Ｂ、および第３体温測定部１３の残りを使用することによって、被測定者の体温を測定することができる。
【００５１】
電子体温計１００Ｃは、第１体温測定部１１、第２体温測定部１２Ｂ、および第３体温測定部１３が異なる形状および測定方式を有する。電子体温計１００Ｃは、さまざまな場面おいて必要とされる測定方式に応じて、最適に使い分けられることが可能となる。
【００５２】
以上、本発明に基づいた各実施の形態について説明したが、今回開示された各実施の形態はすべての点で例示であって制限的なものではない。たとえば、本発明に基づく電子体温計としては、４以上の体温測定部を備えていてもよい。したがって、本発明の技術的範囲は特許請求の範囲によって示され、特許請求の範囲と均等の意味および範囲内でのすべての変更が含まれることが意図される。
【符号の説明】
【００５３】
１０  ケース、１０Ｈ  開口部、１１  第１体温測定部、１２，１２Ａ，１２Ｂ  第２体温測定部、１３  第３体温測定部、１４  制御部、１５  メモリ部、１６  報知部、１７  表示部、１８  操作部、１９  電源部、２１，２２，２２Ａ，２２Ｂ  キャップ、２３，２７  カバー部材、２４  集光レンズ、２６  張出部、２８，３１，３２  感温部、２９，３３，３４  リード線、３５  サブアセンブリ、３８  赤外線センサ、１００，１００Ａ，１００Ｂ，１００Ｃ  電子体温計。
【図１】
2012185024.tif 000003
【図２】
2012185024.tif 000004
【図３】
2012185024.tif 000005
【図４】
2012185024.tif 000006
【図５】
2012185024.tif 000007
【図６】
2012185024.tif 000008
【図７】
2012185024.tif 000009